(57)【要約】【課題】照明器具の監視を効率良く行うこと。【解決手段】実施形態に係る照明監視システムは、センサと、分析サーバと、監視端末と、を有する照明監視システムであって、センサは、照明器具に関する複数の情報を測定する測定部と、測定部による測定結果を、インターネットを経由して所定のサーバに送信する送信部と、を具備し、分析サーバは、測定結果を基に、複数の情報間の関係を示す所定の値を計算し、所定の値が所定の条件を満たしているか否かを判定する判定部を具備し、監視端末は、測定結果及び判定部による判定結果を分析サーバから取得する取得部を具備する。【選択図】図１
2018055766.tif 000002
【特許請求の範囲】
【請求項１】
センサと、サーバと、端末と、を有する照明監視システムであって、
前記センサは、
照明器具に関する複数の情報を測定する測定部と；
前記測定部による測定結果を、インターネットを経由して前記サーバに送信する送信部と；
を具備し、
前記サーバは、
前記測定結果を基に、前記複数の情報間の関係を示す所定の値を計算し、前記所定の値が所定の条件を満たしているか否かを判定する判定部；
を具備し、
前記端末は、
前記測定結果及び前記判定部による判定結果を前記サーバから取得する取得部；
を具備することを特徴とする照明監視システム。
【請求項２】
前記測定部は、前記照明器具の照度、周囲の温度、部品の温度及び入力電圧のうちの少なくとも１つを測定することを特徴とする請求項１に記載の照明監視システム。
【請求項３】
前記端末は、
前記取得部によって取得された前記測定結果及び前記判定結果を、グラフ又は表の形式で表示する表示部；
をさらに具備することを特徴とする請求項１又は２に記載の照明監視システム。
【発明の詳細な説明】
【技術分野】
【０００１】
本発明の実施形態は、照明監視システムに関する。
【背景技術】
【０００２】
照明器具の性能や状態は、時間の経過により変化することが知られている。このため、計測器を用いた人手による測定を定期的に行うことで、照明器具の状態や変化を把握する方法が知られている。
【先行技術文献】
【非特許文献】
【０００３】
【非特許文献１】“照明器具個別制御システム  T/Flecs（ティーフレックス）  |  照明監視システム  |  商品紹介  |  東芝ライテック(株)”、［online］、［平成２８年９月２０日検索］、インターネット＜http://www.tlt.co.jp/tlt/products/system/t_flecs.htm＞
【発明の概要】
【発明が解決しようとする課題】
【０００４】
しかしながら、従来の方法には、照明器具の監視を効率良く行うことが困難であるという問題があった。例えば、非特許文献１に記載されているような、監視のための機能が備わっていない照明システムにおける照明器具の詳細な変化を把握するためには、測定の時間間隔を短くすることが考えられるが、その場合、多くの人手や測定器が必要となり、効率が低下することが考えられる。
【０００５】
本発明が解決しようとする課題は、照明器具の監視を効率良く行うことができる照明監視システムを提供することである。
【課題を解決するための手段】
【０００６】
実施形態に係る照明監視システムは、センサと、サーバと、端末と、を有する照明監視システムであって、前記センサは、照明器具に関する複数の情報を測定する測定部と、前記測定部による測定結果を、インターネットを経由して所定のサーバに送信する送信部と、を具備し、前記サーバは、前記測定結果を基に、前記複数の情報間の関係を示す所定の値を計算し、前記所定の値が所定の条件を満たしているか否かを判定する判定部を具備し、前記端末は、前記測定結果及び前記判定部による判定結果を前記サーバから取得する取得部を具備する。
【図面の簡単な説明】
【０００７】
【図１】図１は、実施形態に係る照明監視システムの構成例を示す図である。
【図２】図２は、実施形態に係る分析サーバの構成例を示す図である。
【図３】図３は、実施形態に係る測定結果の一例を示す図である。
【図４】図４は、実施形態に係る照明監視システムの処理の手順を示すシーケンス図である。
【発明を実施するための形態】
【０００８】
以下で説明する実施形態に係る照明監視システム１は、センサ１１等と、分析サーバ３０と、監視端末４０と、を有する。センサ１１等は、照明器具１０等に関する複数の情報を測定し、測定結果を、インターネットを経由して分析サーバ３０に送信する。分析サーバ３０は、測定結果を基に、複数の情報間の関係を示す所定の値を計算し、計算した所定の値が所定の条件を満たしているか否かを判定する。監視端末４０は、センサ１１等による測定結果、及び分析サーバ３０による判定結果を、分析サーバ３０から取得する。センサ１１等は、測定部及び送信部を有するセンサの一例である。また、監視端末４０は、取得部を有する端末の一例である。
【０００９】
また、以下で説明する実施形態に係る照明監視システム１において、センサ１１等は、照明器具１０の照度、周囲の温度、部品の温度及び入力電圧のうちの少なくとも１つを測定してもよい。
【００１０】
また、以下で説明する実施形態に係る照明監視システム１において、監視端末４０は、は、測定結果及び判定結果を、グラフ又は表の形式で表示してもよい。また、監視端末４０は、表示部を有する端末の一例である。
【００１１】
以下、図面を参照して、実施形態に係る照明監視システムを説明する。実施形態において同一の部位には同一の符号を付し、重複する説明は省略される。
【００１２】
（実施形態）
図１〜４を用いて、実施形態に係る制御システムついて説明する。
【００１３】
［照明監視システムの構成］
図１は、実施形態に係る照明監視システムの構成例を示す図である。図１に示すように、照明監視システム１は、照明器具１０、センサ１１及び１２、中継器２０、分析サーバ３０及び監視端末４０を有する。なお、照明器具１０には、照明器具１０ａ、１０ｂ、１０ｃ及び１０ｄが含まれる。また、センサ１１には、センサ１１ａ、１１ｃ及び１１ｄが含まれる。また、センサ１２には、センサ１２ａ、１２ｂ、１２ｃ及び１２ｄが含まれる。また、中継器２０には、中継器２０ａ、２０ｂ及び２０ｃが含まれる。また、図１の照明器具１０、センサ１１及び１２、中継装置２０装置の数は一例であり、照明監視システム１の構成に応じて適宜変更することができる。
【００１４】
また、センサ１１及び１２と中継器２０との間、中継器２０と分析サーバ３０との間、及び、分析サーバ３０と監視端末４０との間は、無線又は有線により直接的又は間接的に通信可能に接続されている。また、センサ１１及び１２と、分析サーバ３０とを直接接続することで、照明監視システム１を、中継器２０を有さない構成としてもよい。また、分析サーバ３０は、クラウド２上に設置され、各装置とインターネットを介して接続されている。
【００１５】
また、センサ１１及び１２は、照明器具１０の照度、周囲の温度、部品の温度及び入力電圧等の情報のうち、１つ又は複数を測定する。センサ１１及び１２は、例えば、照度センサ、温度センサ、電圧計等である。また、センサ１１及び１２は、例えば、照度センサ、温度センサ、電圧計等のうちの複数の機能を有する装置であってもよい。センサ１１は、照明器具１０の内部に設置される。このとき、センサ１１は、照明器具１０の１つの機能として、照明器具１０に一体として組み込まれていてもよい。また、センサ１２は、照明器具１０の外部に設置される。また、監視端末４０は、例えば、タブレット端末、ＰＣ（Personal  Computer）、携帯電話機、ＰＤＡ（Personal  Data  Assistance）等である。センサ１１及び１２は、照明器具１０を特定できる識別情報とともに測定結果を分析サーバ３０に送信する。このとき照明器具１０の識別情報はサーバ側で少なくとも形番、ロット、器具の種別等を特定できるように紐付られるか、識別情報自体が少なくとも形番、ロット、器具の種別等を特定できることが好ましい。
【００１６】
図２を用いて、分析サーバ３０の構成について説明する。図２は、実施形態に係る分析サーバの構成例を示す図である。図２に示すように、分析サーバ３０は、制御部３１及び記憶部３２を有する。
【００１７】
制御部３１は、例えば、ＡＳＩＣ（Application  Specific  Integrated  Circuit）やＦＰＧＡ（Field  Programmable  Gate  Array）等の集積回路により実現される。また、制御部３１は、例えば、ＣＰＵ（Central  Processing  Unit）やＭＰＵ（Micro  Processing  Unit）等によって、分析サーバ３０内部の記憶装置に記憶されているプログラムがＲＡＭを作業領域として実行されることにより実現される。図２に示すように、制御部３１は、判定部３１１を有する。
【００１８】
また、記憶部３２は、例えば、ＲＡＭ（Random  Access  Memory)、フラッシュメモリ（Flash  Memory）等の半導体メモリ素子等の記憶装置によって実現される。
【００１９】
分析サーバ３０は、センサ１１及び１２から受け取った測定結果を、記憶部３２に記憶させる。図３は、実施形態に係る測定結果の一例を示す図である。図３に示すように、測定結果には、設置場所ＩＤ、センサＩＤ、照度、周囲温度、部品温度、入力電圧、測定日時等が含まれる。
【００２０】
設置場所ＩＤは、測定対象の照明器具の設置場所を識別するためのＩＤである。また、センサＩＤは、測定を行ったセンサを識別するためのＩＤである。また、照度、周囲温度、部品温度及び入力電圧は、センサ１１及び１２によって測定された数値である。また、測定日時は、センサ１１及び１２によって測定が行われた日時である。
【００２１】
ここで、例えば、図１の照明器具１０ａは設置場所ＩＤが「Ａ０１」である場所に設置され、センサ１１ａ及び１２ａのセンサＩＤがそれぞれ「Ｂ００１」及び「Ｂ００２」であるとする。また、センサ１１ａは照明器具１０ａに一体として組み込まれており、照度、所定部品の温度、入力電圧を測定することができることとする。また、センサ１２ａは、照明器具１０ａの近傍に設置されており、照度及び周囲の温度を測定することができることとする。また、測定結果は例えば器具の種別ごとに図３に示すテーブルが生成される。
【００２２】
ここで、図３のＮｏ．１は、センサ１１ａが、２０１６／９／２０  １５：００に、照度を５００ルクス、部品温度を６０℃、入力電圧を１００Ｖ、と測定したことを示している。また、図３のＮｏ．２は、センサ１２ａが、２０１６／９／２０  １５：００に、照度を６００ルクス、周囲温度を３０℃と測定したことを示している。
【００２３】
判定部３１１は、所定の計算方法に基づき、測定結果間の関係を示す値を計算し、計算した値が所定の条件を満たすか否かを判定する。例えば、判定部３１１は、入力電圧に対する部品温度の比を計算し、当該比があらかじめ設定した範囲内にない場合、照明器具に異常があると判定する。ここで、あらかじめ設定した範囲は測定結果から導きだすようにしてもよい。例えば、同じ種別の器具において測定結果の分散を計算し所定以上の範囲を異常と判定してもよい。また、測定結果間の関係は測定データの蓄積に応じて種々変更してもよく、異常との相関関係が高い測定データの組み合わせを採用することができる。
【００２４】
また、判定部３１１は、上記のように１つの測定結果に基づく計算だけでなく、複数の測定結果に基づく計算を行ってもよい。例えば、判定部３１１は、まず、Ｎｏ．１の部品温度とＮｏ．２の部品温度との差を計算し、次にＮｏ．１の入力電圧に対する当該差の比を計算してもよい。これにより、判定部３１１は、室温を考慮に入れた判定を行うことが可能となる。
【００２５】
さらに、判定部３１１は、測定結果の時系列変化に基づく計算を行ってもよい。例えば、１時間以内の部品温度の最大値と最小値との差が所定の閾値以上であった場合、照明器具に異常があると判定するようにしてもよい。
【００２６】
また、判定部３１１は、異常であるか否かを判定するだけでなく、測定結果を基に、照明器具の残り寿命の計算や、照度補正の要否の判定を行ってもよい。例えば、判定部３１１は、既に寿命を迎えた照明器具の測定結果の時系列変化をあらかじめ学習データとして学習し、寿命を予測するためのモデルを生成しておき、当該モデルに測定結果を当てはめることで、寿命の予測を行ってもよい。
【００２７】
監視端末４０は、分析サーバ３０から測定結果や判定結果を取得する。これにより、ユーザは、監視端末４０を介して測定結果や判定結果を閲覧することができる。監視端末４０は、ある時点から現在までの測定結果や判定結果を時系列で表示することができる。また、監視端末４０は、測定結果や判定結果をグラフや表の形式で表示することができる。
【００２８】
また、監視端末４０は、定期的に分析サーバ３０の判定部３１１による判定結果を自動的に取得し、取得した判定結果が照明器具に異常があることを示している場合、照明器具に異常がある旨のメッセージを、電子メール等により管理者に通知するようにしてもよい。また、照明器具側でなんらかの異常判定が可能な場合には、照明器具から異常を通知するようにしてもよく、その場合には当該照明器具の過去及び現在の測定データを計算し、異常と判定するための所定の条件を設定、更新してもよい。
【００２９】
［操作装置による処理の手順］
図４は、実施形態に係る照明監視システムの処理の手順を示すシーケンス図である。図４に示すように、センサ１１は、照明器具に関する各情報を測定する（ステップＳ１０１）。そして、センサ１１は、測定した各情報を測定結果として分析サーバ３０宛に送信する（ステップＳ１０２）。中継器２０は、センサ１１によって送信された測定結果を中継し、分析サーバ３０に送信する（ステップＳ１０３）。
【００３０】
分析サーバ３０は、受信した測定結果を基に所定の値を計算し、異常の有無を判定する（ステップＳ１０４）。ここで、監視端末４０から分析サーバ３０に対して判定結果の要求があった場合（ステップＳ１０５）、分析サーバ３０は判定結果を監視端末４０に送信する（ステップＳ１０６）。
【００３１】
［実施形態の効果］
上述してきたように、実施形態に係る照明監視システム１は、センサ１１等による測定結果に基づく計算及び判定を分析サーバｂ３０に実行させ、測定結果及び判定結果を監視端末４０に取得させることができる。これにより、ユーザは、監視端末４０を参照することで照明器具の監視を効率良く行うことができ、従来のように人手による測定を定期的に行う必要がなくなる。
【００３２】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００３３】
１  照明監視システム
１０、１０ａ、１０ｂ、１０ｃ、１０ｄ  照明器具
１１、１１ａ、１１ｃ、１１ｄ、１２、１２ａ、１２ｂ、１２ｃ、１２ｄ  センサ
２０、２０ａ、２０ｂ、２０ｃ  中継器
３０  分析サーバ
４０  監視端末
【図１】
2018055766.tif 000003
【図２】
2018055766.tif 000004
【図３】
2018055766.tif 000005
【図４】
2018055766.tif 000006